(57)【要約】【課題】電界波形データ及び磁界波形データにピークが生じた際に、そのピークがリーダの発生によるものであるか、落雷の発生によるものであるかを判定できるようにする。【解決手段】電界及び磁界の時間変化を示す電界データ及び磁界データにおける所定の勾配以上のピークが落雷によるものか否かを判定する際に、ピークから所定の期間内における単位時間幅ごとの電界データ又は磁界データの相関係数の絶対値を算出し、算出した相関係数の絶対値が前記変化後に急激に低下する場合には、ピークが落雷によるものであると判定し、緩やかに低下する場合には、ピークがリーダによるものであると判定する。【選択図】        図４
2012037387.tif 000002
【特許請求の範囲】
【請求項１】
落雷発生時の落雷電荷を算出する落雷電荷評価システムであって、
測定対象地点における電界及び磁界の時間変化を示す電界データ及び磁界データを取得するデータ取得手段と、
前記データ取得手段により取得された電界データ又は磁界データに所定の勾配以上の変化が観測されると、当該変化が観測された時点から所定の期間内における単位時間幅ごとの電界データ又は磁界データの相関係数の絶対値を算出し、前記算出した相関係数の絶対値が所定の基準値以下の減少勾配で減少するか否かを判定する勾配判定手段と、
前記勾配判定手段により、前記算出した相関係数の絶対値が所定の基準値以上の減少勾配で減少すると判定された場合に、前記電界データ及び磁界データに基づき、落雷電荷を算出する落雷電荷算出手段とを備えることを特徴とする落雷電荷評価システム。
【請求項２】
請求項１記載の落雷電荷評価システムであって、
前記所定の勾配以上の変化の前後の所定の時間における電界データのレベル差を算出し、この電界データのレベル差が基準電界レベル差よりも大きいか否かを判定する電界レベル差判定手段を備え、
前記落雷電荷算出手段は、前記勾配判定手段により、前記算出した相関係数の絶対値が所定の基準値以上の減少勾配で減少すると判定され、かつ、前記電界レベル差判定手段により、電界データのレベル差が基準電界レベル差よりも大きいと判定された場合に、落雷電荷を算出することを特徴とする落雷電荷評価システム。
【請求項３】
電界及び磁界の時間変化を示す電界データ及び磁界データにおける所定の勾配以上の変化が落雷によるものか否かを判定する方法であって、
前記変化から所定の期間内における単位時間幅ごとの電界データ又は磁界データの相関係数の絶対値を算出し、
前記算出した相関係数の絶対値が所定の基準値以上の減少勾配で減少する場合には、前記変化が落雷によるものであると判定することを特徴とする落雷判定方法。
【請求項４】
落雷発生時の落雷電荷を算出する落雷電荷評価方法であって、
測定対象地点における電界及び磁界の時間変化を示す電界データ及び磁界データを取得するデータ取得ステップと、
前記データ取得ステップにおいて取得した電界データ又は磁界データに所定の勾配以上の変化が観測されると、前記変化から所定の期間内における単位時間幅ごとの電界データ又は磁界データの相関係数の絶対値を算出し、前記算出した相関係数の絶対値が所定の基準値以上の減少勾配で減少するか否かを判定する勾配判定ステップと、
前記勾配判定ステップにおいて算出した相関係数の絶対値が所定の基準値以上の減少勾配で減少すると判定された場合に、前記電界データ及び磁界データに基づき、落雷電荷を算出する落雷電荷算出ステップとを備えることを特徴とする落雷電荷評価方法。
【発明の詳細な説明】
【技術分野】
【０００１】
本発明は、電界波形データ及び磁界波形データにピークが生じた際に、そのピークが落雷によるものであるか否かを判定する方法及びこの判定方法を用いた落雷電荷評価システムに関する。
【背景技術】
【０００２】
落雷は送電設備等に被害を及ぼすことから、従来より、雷の接近を検知するための装置が提案されている。また、本願出願人らは、落雷は電荷量が大きいほど、被害の程度も大きくなることから、電界及び磁界を測定し、測定した電界波形データ及び磁界波形データに基づき、落雷の電荷量を算出する装置を提案している（例えば、特許文献１、２参照）。このような装置では、電界波形データに大きな変化（以下、ピークという）が生じた場合に、このピークが落雷によるものか否かを、そのピークの変化量及び勾配に基づいて判定している。
【先行技術文献】
【特許文献】
【０００３】
【特許文献１】特開２００７―３１５９１０号公報
【特許文献２】特開２００７―３１５９１１号公報
【発明の概要】
【発明が解決しようとする課題】
【０００４】
落雷発生前には、放出された一部の雷電荷が放電するリーダが発生するが、このようなリーダが生じた場合であっても、電界波形データにはピークが生じる。このような場合にも、上記の方法では、リーダの発生を落雷の発生と誤認してしまい、不要な電界波形データ及び磁界波形データの取込みを行ってしまうことがある。
そして、リーダが観測された場合であっても、リーダに続く落雷による電界及び磁界波形データの変化が小さい場合があるため、リーダが観測された場合にデータの取込みを行ってしまうと、落雷による電界及び磁界波形データの変化が小さく、電荷評価の対象とはならない場合についてのデータも取込んでしまうこととなる。このような不要なデータの取り込みを防止すべく、落雷によりピークが生じた場合のみに電界波形データ及び磁界波形データの取込みが可能となることが望ましい。
【０００５】
本発明は、上記の問題に鑑みなされたものであり、その目的は、電界波形データ及び磁界波形データにピークが生じた際に、そのピークがリーダの発生によるものであるか、落雷の発生によるものであるかを判定できるようにすることである。
【課題を解決するための手段】
【０００６】
本発明の落雷電荷評価システムは、落雷発生時の落雷電荷を算出する落雷電荷評価システムであって、測定対象地点における電界及び磁界の時間変化を示す電界データ及び磁界データを取得するデータ取得手段と、前記データ取得手段により取得された電界データ又は磁界データに所定の勾配以上の変化が観測されると、前記変化から所定の期間内における単位時間幅ごとの電界データ又は磁界データの相関係数の絶対値を算出し、前記算出した相関係数の絶対値が所定の基準値以上の減少勾配で減少するか否かを判定する勾配判定手段と、前記勾配判定手段により、前記算出した相関係数の絶対値が所定の基準値以上の減少勾配で減少すると判定された場合に、前記電界データ及び磁界データに基づき、落雷電荷を算出する落雷電荷算出手段とを備えることを特徴とする。
【０００７】
上記の落雷電荷評価システムにおいて、前記所定の勾配以上の変化の前後の所定の時間における電界データのレベル差を算出し、この電界データのレベル差が基準電界レベル差よりも大きいか否かを判定する電界レベル差判定手段を備え、前記落雷電荷算出手段は、前記勾配判定手段により、前記算出した相関係数の絶対値が所定の基準値以上の減少勾配で減少すると判定され、かつ、前記電界レベル差判定手段により、電界データのレベル差が基準電界レベル差よりも大きいと判定された場合に、落雷電荷を算出してもよい。
【０００８】
また、本発明の落雷判定方法は、電界及び磁界の時間変化を示す電界データ及び磁界データにおける所定の勾配以上の変化が落雷によるものか否かを判定する方法であって、前記変化から所定の期間内における単位時間幅ごとの電界データ又は磁界データの相関係数の絶対値を算出し、前記算出した相関係数の絶対値が所定の基準値以上の減少勾配で減少する場合には、前記変化が落雷によるものであると判定することを特徴とする。
【０００９】
また、本発明の落雷電荷評価方法は、落雷発生時の落雷電荷を算出する落雷電荷評価方法であって、測定対象地点における電界及び磁界の時間変化を示す電界データ及び磁界データを取得するデータ取得ステップと、前記データ取得ステップにおいて取得した電界データ又は磁界データに所定の勾配以上の変化が観測されると、前記変化から所定の期間内における単位時間幅ごとの電界データ又は磁界データの相関係数の絶対値を算出し、前記算出した相関係数の絶対値が所定の基準値以上の減少勾配で減少するか否かを判定する勾配判定ステップと、前記勾配判定ステップにおいて算出した相関係数の絶対値が所定の基準値以上の減少勾配で減少すると判定された場合に、前記電界データ及び磁界データに基づき、落雷電荷を算出する落雷電荷算出ステップとを備えることを特徴とする。
【発明の効果】
【００１０】
本発明によれば、電界データに所定の勾配以上の変化が観測された場合に、電界データ及び磁界データの単位時間幅ごとの相関係数の絶対値を算出し、この相関係数の絶対値の変化が基準勾配よりも小さいか否かを判定している。これにより、電界データの変化が落雷の発生によるものであるか、リーダの発生によるものであるかを判定することができ、確実に、落雷時の落雷電荷のデータを取得することができる。
【図面の簡単な説明】
【００１１】
【図１】落雷前後の電界波形データ及び磁界波形データを示すグラフである。
【図２】図１におけるＡ部を時間軸を拡大して示すグラフである。
【図３】図１におけるＢ部を時間軸を拡大して示す図である。
【図４】リーダ発生時及び落雷発生時の前後における相関係数を示すグラフである。
【図５】リーダが発生した場合及び落雷が発生した場合におけるリーダ又は落雷の発生前後における電界レベルを比較するグラフである。
【図６】測定地点の遠方で落雷が発生した場合における電界波形データ及び磁界波形データを示すグラフである。
【図７】測定地点の遠方で落雷が発生した場合における電界波形データ及び磁界波形データの相関係数を示すグラフである。
【図８】本発明の一実施形態である落雷電荷評価装置２を含むシステム１の全体構成図である。
【図９】リーダ発生時点の判定方法を説明するための図である。
【図１０】ΔＥを求める方法を説明するための図である。
【図１１】落雷電荷評価システムにより、落雷電荷を算出する流れを説明するためのフローチャートである。
【図１２】ＳＴＥＰ１０４における落雷判定部によりピークが計測子局の近傍で発生した落雷によるものか否かを判定する流れを示すフローチャートである。
【発明を実施するための形態】
【００１２】
以下、本発明の落雷電荷評価システムの一実施形態を図面を参照しながら詳細に説明する。
図１は、落雷前後の電界波形データ及び磁界波形データを示すグラフであり、図２は、図１におけるＡ部を時間軸を拡大して示すグラフであり、図３は、図１におけるＢ部を時間軸を拡大して示す図である。
落雷が発生する際には、落雷の前に前駆現象であるリーダが発生する。図１〜３に示すように、リーダが発生する前には電界波形及び磁界波形はノイズが生じているものの、略一定の値となっている。
図１、図２に示すように、リーダが発生した後、電界波形及び磁界波形には振動的変化が生じる。この電界波形及び磁界波形に生じる振動的変化は、略同期しているが、リーダ発生後、電界は徐々に大きくなるものの、磁界はリーダ発生前と同程度の大きさである。
【００１３】
また、図１、図３に示すように、落雷が発生した場合にも、電界波形及び磁界波形には振動的変化が生じる。この電界波形及び磁界波形に生じる振動的変化も、リーダの発生時と同様に略同期している。しかし、落雷が生じた時点で電界は急激に増大し、落雷後も徐々に大きくなる。これに対して、磁界波形には振動は生じるものの、しばらくするとリーダ発生前と同程度の大きさに戻る。
【００１４】
ここで、従来技術の欄に記載したように、電界波形データに所定の勾配以上の変化が観測された場合に落雷が発生したと判定する方法では、リーダが発生した場合であっても、上記のように電界波形データに大きな振動が生じるため、落雷が発生したと誤判定してしまうという問題があった。
【００１５】
そこで、本願発明者は、図１〜図３についての上記考察に基づいて、リーダ発生時の前後数百μ秒の期間と、落雷発生時の前後数百μ秒の期間とについて、５０μ秒間隔で電界波形データと磁界波形データの相関係数を算出した。図４は、リーダ発生時及び落雷発生時の前後における相関係数を示すグラフである。同図に示すように、リーダ発生前は、相関係数はほぼ０であるが、リーダ発生時には、相関係数が約０．９と非常に高い値となっている。そして、リーダ発生から５００μ秒経過するまで、相関係数が０．３以上の値となっている。
これに対して、落雷発生時の相関係数は、リーダ発生時と同様に、落雷発生前は約０であり、落雷発生時には約０．９と非常に高い値となる。しかしながら、落雷発生後５０μ秒では依然として相関係数は高い値であるものの、落雷発生後１００μ秒経過時点では、約０まで低下している。
【００１６】
このように、リーダ発生時及び落雷発生時に共通して、リーダ又は落雷発生時までの間は、相関係数がほぼ０であるが、リーダ又は落雷の発生直後は、相関係数は約０．９程度まで上昇する。しかし、落雷の場合には、落雷発生後約１００μ秒経過するまでの間に、相関係数がほぼ０まで急激に低下するのに対して、リーダの場合には、リーダ発生後約５００μ秒経過しても、相関係数は０．３以上であり、相関係数は緩やかに低下する。
【００１７】
また、本願発明者は、リーダが発生した場合及び落雷が発生した場合におけるリーダ又は落雷の発生前後における電界レベルを比較した。図５はこの比較結果を示すグラフである。同図に示すように、リーダの場合における電界レベルは、リーダ発生前（１５０μ秒前）は約−０．３８、リーダ発生時には約−０．２８、リーダ発生後（１５０μ秒後）は約−０．３５であった。なお、リーダ発生前と発生後の電界レベルの差は０．０２３であった。
【００１８】
これに対して、落雷の場合における電界レベルは、落雷の発生前（１５０μ秒前）は約０．０５であり、落雷の発生時は約０．１７であり、落雷の発生後（約１５０μ秒後）は約０．１７であった。なお、落雷発生前と発生後の電界レベルの差は０．１１５であった。
【００１９】
このように、リーダの場合には、リーダ発生時に電界レベルが大きく変化するものの、所定の時間（１５０μ秒）経過すると、電界レベルがリーダ発生前に近い値になるのに対して、落雷の場合には、リーダ発生時に電界レベルが大きく変化し、その後もリーダ発生前の値に戻ることなく、リーダの発生前後で電界レベルが大きく変化する。
【００２０】
なお、遠方で発生した落雷は、電界波形データや磁界波形データがノイズの影響を受け易いなどの理由で、正確に電荷量を算出することができず、電荷評価には適していない。図６は、測定地点の遠方で落雷が発生した場合における電界波形データ及び磁界波形データを示すグラフであり、図７は、電界波形データ及び磁界波形データの相関係数を示すグラフである。
【００２１】
図７に示すように、遠方で落雷が発生した場合であっても、落雷発生後１００μ秒までは相関係数が高いものの、１００μ秒を超えると急激に相関係数が低下する。また、図６に示すように、落雷発生の前後での電界レベルの変化は、測定地点の近傍で落雷が発生した場合に比べて小さい。
【００２２】
上記の結果をふまえ、本願出願人は、以下に説明するように、ピーク発生後の単位時間幅ごとの電界波形データと磁界波形データの相関係数の絶対値を算出し、この絶対値がピーク後、所定の勾配以上で急激に低下する場合には、ピークが落雷により発生したものであると判定し、所定の勾配以下で緩やかに低下する場合には、ピークがリーダにより発生したものであると判定し、落雷により発生したものであると判定した場合に、電界波形データと磁界波形データとに基づいて落雷電荷を評価する落雷電荷評価システムを提案する。
図８は、本発明の一実施形態である落雷電荷評価装置２を含むシステム１の全体構成図である。同図に示すように、本実施形態の落雷電荷評価装置２には、雷放電位置標定装置４０と、複数の計測子局１０とが接続されている。
【００２３】
計測子局１０は、電界計測部１２及び磁界計測部１４を備えており、雷の監視対象地域に例えば数十ｋｍ程度の間隔で各地に配置される。電界計測部１２は、計測子局１０の設置地点での電界を計測し、電界の時間変化を示すデータ（以下、電界波形データという）を生成する。また、磁界計測部１４は、計測子局１０の配置された地点での磁界を計測し、磁界の時間変化を示すデータ（以下、磁界波形データという）を生成する。そして、これらの電界波形データ及び磁界波形データは、当該計測子局１０の識別情報と共に、落雷電荷評価装置２へ伝送される。
【００２４】
また、雷放電位置標定装置４０は、雷放電から放射される電磁波を複数の地点で受信し、それらの受信した電磁波を解析することにより、落雷位置を標定する機能を有する周知の装置であり、その詳細は、例えば、岸本保夫、「雷観測システムおよび雷保護規格の最新動向」、[online]、ＮＴＴファシリティーズ総合研究所、[平成２１年６月１７日検索]、インターネット＜ＵＲＬ：http://www.ntt-fsoken.co.jp/research/pdf/2005_kish.pdf＞等に記載されている。雷放電位置標定装置４０により標定された落雷位置を示す情報は、落雷電荷評価装置２へ伝送される。
【００２５】
図８に示すように、落雷電荷評価装置２は、データ取得部２０、落雷判定部２１、データ読込部２２、落雷位置取得部２８、落雷発生時点検知部２３、リーダ検知部２４、リーダ進展時間算出部２５、電荷高度算出部２６、及び、落雷電荷算出部２７の各機能部と、一時記憶部３１と、ＣＲＴや液晶等のディスプレイ装置である表示装置３０とを備えている。なお、落雷電荷評価装置２は、例えば、コンピュータシステムにより構成され、一時記憶部３１は例えば、メモリ上に構築され、また、上記機能部２０〜３０はコンピュータのＣＰＵがハードディスク装置などの記憶装置に記憶されたプログラムを読み出して実行することにより実現される。
【００２６】
データ取得部２０は、計測子局１０から伝送されてきた電界波形データ及び磁界波形データを取得する。データ取得部２０が取得した電界波形データ及び磁界波形データは、一時記憶部３１に記録される。
一時記憶部３１は、データ取得部２０が取得した電界波形データ及び磁界波形データを所定の時間分記憶しており、これらデータは常時更新される。
【００２７】
落雷判定部２１は、データ取得部２０が取得した磁界波形データ及び電界波形データに基づいて、取得した磁界波形データ及び電界波形データにおける落雷の有無を判定する。以下、落雷の発生の有無の判定方法を説明する。
落雷判定部２１には、予め、後述する相関係数を算出する対象となる所定の期間（例えば、ピーク時から５００μ秒；以下、検討期間という）と、相関係数を算出する間隔（例えば、５０μ秒：以下、単位時間幅という）と、リーダであるか落雷であるかを判定する基準となる基準勾配（例えば、検討期間における減少値が０．５）が設定されている。
【００２８】
落雷判定部２１は、電界波形データにおいて、短時間に急激に大きさが変化するピークが生じた場合に、具体的には、判定基準としてメモリに記憶されている所定の勾配で、所定の強度を超えるような急峻な電界変化が生じた場合に、検討期間内の電界波形データと磁界波形データについて、単位時間幅ごとの相関係数の絶対値を算出する。
【００２９】
そして、算出した相関係数の絶対値のピーク後の変化が基準勾配よりも小さい場合には、このピークは、リーダの発生によるものであると判定する。一方、算出した相関係数の絶対値のピーク後の変化が基準勾配よりも大きい場合には、このピークは落雷によるものであると判定する。
【００３０】
さらに、落雷判定部２１には、予め、ピークの前後における電界レベルの差を求めるための、ピーク前及びピーク後の基準となる基準時間（例えば、ピーク前５０μ秒とピーク後１０００μ秒）と、電荷評価の対象とするか否かを決定するための基準となる基準電界レベル差（例えば、０．１Ｖ）が設定されている。
【００３１】
落雷判定部２１は、上記のように、算出した検討期間内の相関係数が基準相関係数を超える場合には、ピークの前後の基準時間における電界レベルの差を算出する。そして、算出した電界レベル差が基準電界レベル差よりも大きい場合には、電荷量評価の対象とすると判定し、基準電界レベル差以下の場合には、電荷量評価の対象とはしないと判定する。
【００３２】
データ読込部２２は、落雷判定部２１により電荷量評価の対象とすると判定された場合に、一時記憶部３１より電界波形データ及び磁界波形データを取得する。
また、落雷位置取得部２８は、雷放電位置標定装置４０から伝送されてきた落雷位置情報を取得する。
【００３３】
落雷発生時点検知部２３は、電荷量評価の対象とすると判定された場合には、そのピークの発生時点を、落雷発生時点とする。より具体的には、所定の勾配を超える急峻な電界変化が生じた時点を、落雷発生時点とする。
【００３４】
リーダ検知部２４は、落雷判定部２１により電荷量評価の対象とすると判定された場合に、データ読込部２２が取得した磁界波形データに基づいて、落雷発生に先行して起こるリーダの発生時点を検知する。リーダ検知部２４は、落雷発生時点検知部２３が検知した落雷発生時点より前の所定期間における電界波形データ又は磁界波形データを参照し、その期間内で磁界波形に、短時間の間に電界の大きさの急激な変化やピークが現れた場合に、急激な変化やピークの発生時点を、リーダ発生時点であると判定する。より具体的には、落雷発生時点を判定する場合と同様に、所定の勾配かつ所定の強度を超える急峻な電界変化あるいは磁界変化が生じた時点を、リーダ発生時点と判定する。図９に示すように、数十マイクロ秒程度の微小時間の間に電界の大きさが急激に変化するピークが現れた場合においては、符号Ｘの時点がリーダ発生時点と判定される。なお、図９では、電界波形のピークは符号Ａ，Ｂ，Ｃ，Ｄ等で示すように、複数回生じているが、これは、１回の落雷が複数回の放電に分かれて起きることによるものである。
【００３５】
リーダ進展時間算出部２５は、リーダ検知部２４が検知したリーダ発生時点から、落雷発生時点検知部２３が検知した落雷の発生時点までの時間をリーダ進展時間として算出する。
【００３６】
電荷高度算出部２６は、リーダ進展時間算出部２５で算出されたリーダ進展時間と、リーダ進展速度とに基づいて落雷電荷の高度を算出する。上述のように、雷雲から放出されたリーダが地表に向けて進展して、地上に到達することにより落雷が発生するのであるが、その際にリーダが雷雲から地表に向けて進展する際の速度がリーダ進展速度であり、一般に、０．２ｍ／μｓである。したがって、電荷高度算出部２６は、リーダ発生時点から落雷時点までの時間であるリーダ進展時間に、リーダ進展速度を乗ずることにより、落雷電荷の高度（地上からの高さ）を求めることができる。
【００３７】
落雷電荷算出部２７は、上記のように電荷高度算出部２６で求めた落雷電荷の高さと、落雷位置取得部２８が取得した落雷発生位置と、データ取得部２０が取得した電界波形データとに基づいて落雷電荷を算出する。
【００３８】
一般に、雷の電荷に関して、雷の有する電荷量Ｑ（Ｃ）は次式（１）で表されることが知られている。
【数１】
2012037387.tif 000003
ただし、πは円周率、ε0は空気の誘電率であり、ΔＥ（Ｖ／ｍ）は落雷の前後での電界の変化量、Ｄ（ｍ）は落雷が地上に到達した落雷地点から観測地点までの水平距離、Ｈ（ｍ）は雷発生直前の電荷の高度を示している。
【００３９】
落雷電荷Ｑを求めるのに必要なパラメータのうち、落雷電荷の高さＨは、上記のように、電荷高度算出部２６により算出でき、距離Ｄは、電界波形データ及び磁界波形データの送信元である計測子局１０の位置情報と、落雷位置取得部２８が取得した落雷位置情報とから算出できる。また、落雷による電界変化ΔＥは電界波形データから求めることができる。なお、落雷電荷評価装置２は、各計測子局１０の識別情報と、位置情報との対応関係を保持するデータベースを備えており、電荷高度算出部２６は、電界波形データ及び磁界波形データと共に送られてきた識別情報に基づき、上記データベースを参照して、計測子局１０の位置情報を取得することができる。
【００４０】
以下において、電界波形データから落雷による電界変化ΔＥを求める手法について説明する。
図１０は、落雷が発生したときの電界及び磁界の波形を、上記図９よりも時間スケールを千倍程度に拡大して示す図である。一般に、落雷は電荷が複数回に分けて地上に放電して起こることが多く、図９に示す電界波形にも、複数回の放電に対応する複数回の変化が生じている。このうち、同図の電界波形に現れる電界変化ΔＥ１、ΔＥ２、ΔＥ３、ΔＥ５、ΔＥ６、ΔＥ７は急峻に立ち上がっており、落雷に伴う電界変化であると判断できる。これに対して、電界変化ΔＥ４は、比較的小さな緩やかな勾配で電界が上昇することにより生じている。このような緩やかな電界の変化は、ノイズによって生ずることもあり、この電界変化ΔＥ４は落雷による放電によるものかどうか、電界波形から直ちに判定することは困難である。
【００４１】
これに対して、本実施形態では、落雷電荷算出部２７は、以下のように、磁界波形データを参照することにより、電界変化ΔＥ４のような緩やかな変化が落雷によるものか否かを正確に判定できるようにしている。
【００４２】
本願出願人らが行った調査・研究によると、落雷により電界変化が生じている間、図７に符号Ｓ１、Ｓ２、Ｓ３、Ｓ５、Ｓ６、Ｓ７等で示すように、磁界も間欠的に変化することが分っている。そこで、落雷電荷算出部２７は、上記電界変化ΔＥ４のように緩やかな電界変化が生じている期間の磁界波形データにノイズレベルを超える変化が生じているか否かを判定し、磁界に変化が生じていれば（図１０においては、符号Ｓ４）、当該電界変化は落雷による電界変化であると判断する。そして、落雷による最初に電界変化（図１０の例では、ΔＥ１）が起きる直前の電界の値Ｅ０から、最後の電界変化（図１０の例ではΔＥ７）が終了した時点での電界の値Ｅｅまでの各電撃による実効的な電界変化の総量Ｅtotal（＝ΔＥ１＋ΔＥ２＋ΔＥ３＋ΔＥ４＋ΔＥ５＋ΔＥ６＋ΔＥ７）を落雷による電界変化ΔＥとし、これを（１）式に代入して、落雷電荷Ｑを算出する。なお、ここでは、図１０に示す電界変化ΔＥ７の後、一定時間をおいても落雷による電界変化が現れていなかったものとして、このΔＥ７を今回の落雷による最後の電界変化であると判断している。
【００４３】
落雷電荷算出部２７は、上記の式Ｅtotal＝ΔＥ１＋ΔＥ２＋ΔＥ３＋ΔＥ４＋ΔＥ５＋ΔＥ６＋ΔＥ７により計算されるＥtotalを、落雷による電界変化量ΔＥとして求める。
【００４４】
そして、落雷電荷算出部２７は、上記求めた電界変化量ΔＥと、電荷高度算出部２６により求められた電界高度Ｈと、計測子局１０の位置情報と、落雷位置取得部２８が取得した落雷位置情報とから算出される距離Ｄとを（１）式に代入することにより、落雷電荷Ｑを計算する。
【００４５】
表示装置３０は、落雷高度算出部３０で算出した落雷高度や、落雷電荷算出部２７で算出した落雷電荷を表示し、必要に応じて、データ取得部２０で取得したデータと、落雷位置取得部２８で取得した位置情報も表示する。
【００４６】
以下、落雷電荷評価システム１により、落雷電荷を算出する流れを図１１に示すフローチャートを参照しながら説明する。
常時、計測子局１０の電界計測部１２及び磁界計測部１４が、それぞれ設置された地点での電界及び磁界を測定し、電界及び磁界に応じた電界波形データ及び磁界波形データを落雷電荷評価装置１へ送信する。そして、落雷電荷評価装置１は、データ取得部２０により電界波形データ及び磁界波形データを取得し、取得された電界波形データ及び磁界波形データは一時記憶部３１に一時的に記録され、常時更新される。
【００４７】
落雷電荷評価装置１は、常時、落雷判定部２１により電界波形データを監視し（ＳＴＥＰ１００）、電界波形データにおいてピークを観測すると（ＳＴＥＰ１０２）、落雷判定部により、このピークが計測子局１０の近傍で発生した落雷によるものか否かを判定する（ＳＴＥＰ１０４）。
【００４８】
図１２は、落雷判定部２１により、ピークが計測子局１０の近傍で発生した落雷によるものか否かを判定する流れを示すフローチャートである。同図に示すように、まず、検討期間内の電界波形データと磁界波形データについて、単位時間幅ごとの相関係数の絶対値を算出する（ＳＴＥＰ２００）。
【００４９】
次に、落雷判定部２１により、算出した相関係数の絶対値の変化が基準勾配よりも大きいか否かを判定する（ＳＴＥＰ２０２）。そして、ＳＴＥＰ２０２において、相関係数の絶対値の変化が基準勾配よりも大きい場合（ＳＴＥＰ２０２でＹＥＳ）には、このピークはリーダによるものであると判定し（ＳＴＥＰ２０３）、再びＳＴＥＰ１００に戻る。また、相関係数の絶対値の変化が基準勾配よりも小さい場合（ＳＴＥＰ２０２でＮＯ）には、このピークは落雷によるものであると判定する（ＳＴＥＰ２０６）。
【００５０】
ＳＴＥＰ２０６において、ピークは落雷によるものであると判定された場合には、ピークの前後の基準時間における電界レベルの差を算出し（ＳＴＥＰ２０８）、算出した電界レベル差と基準レベル差とを比較する（ＳＴＥＰ２１０）。そして、電界レベルの差が基準レベル差以下である場合（ＳＴＥＰ２１０でＮＯ）には、このピークは遠方での落雷又はリーダによるものと判定し（ＳＴＥＰ２１２）、ＳＴＥＰ１００へ戻る。また、電界レベル差が基準レベル差よりも大きい場合（ＳＴＥＰ２１０でＹＥＳ）には、近傍での落雷によるものであるので、このピークを落雷電荷の算出の対象とする旨判定する（ＳＴＥＰ２１４）。
【００５１】
このようにして、ＳＴＥＰ１０４において、落雷判定部２１により近傍での落雷以外の原因によるものと判定された場合には、ＳＴＥＰ１００に戻り、電界波形データを監視する。
【００５２】
また、ＳＴＥＰ１０４において、落雷判定部２１によりピークが近傍での落雷によるものと判定された場合には、データ読取部２２が一時記憶部３１より所定の時間長さの電界波形データ及び磁界波形データを読み込む（ＳＴＥＰ１０６）。
【００５３】
次に、落雷発生時点検知部２３により、電界波形データに所定の勾配を超える急峻な電界変化が生じた時点を落雷発生時点とする（ＳＴＥＰ１０８）。
次に、リーダ検知部２４により、データ読込部２２が取得した磁界波形データに基づいて、落雷発生に先行して起こるリーダの発生時点を検知する（ＳＴＥＰ１１０）。
【００５４】
次に、リーダ進展時間算出部２５により、リーダ検知部２４が検知したリーダ発生時点から、落雷発生時点検知部２３が検知した落雷の発生時点までの時間をリーダ進展時間として算出する（ＳＴＥＰ１１２）。
次に、電荷高度算出部２６により、リーダ進展時間算出部２５で算出されたリーダ進展時間と、リーダ進展速度とに基づいて落雷電荷の高度を算出する（ＳＴＥＰ１１４）。
【００５５】
次に、落雷位置取得部２８により、落雷発生位置を取得する（ＳＴＥＰ１１６）。
次に、落雷電荷算出部２７は、電荷高度算出部２６により算出された落雷電荷の高度と、落雷位置取得部が取得した落雷発生位置と、データ読込部２２が一時記憶部３１から読み込んだ電界波形データとに基づいて落雷電荷を算出する（ＳＴＥＰ１１８）。
【００５６】
このようにして算出された落雷電荷は、データ読込部２２が読み込んだ電界波形データ及び磁界波形データや、落雷位置取得部２８が取得した位置情報ともに表示装置３０により画面表示する（ＳＴＥＰ１２０）。
【００５７】
以上説明したように、本実施形態によれば、電界波形データにピークが観測された場合に、電界波形データ及び磁界波形データの単位時間幅ごとの相関係数の絶対値を算出し、この相関係数の絶対値の変化が基準勾配よりも小さいか否かを判定している。これにより、ピークが落雷の発生によるものであるか、リーダの発生によるものであるかを判定することができ、確実に、落雷時の落雷電荷のデータを取得することができる。
【００５８】
さらに、ピークの前後における電界レベルの差を算出し、算出した電界レベル差と基準電界レベル差とを比較しているため、実際は、リーダによるピークであるものの、相関係数が検討期間内を通じて基準相関係数を超えてしまった場合や、落雷が遠方で発生した場合のデータを除くことができ、確実に落雷電荷の算出に適した近傍での落雷時の落雷電荷のデータのみを取得することができる。
【００５９】
なお、本実施形態では、特開２００７―３１５９１０号公報記載の方法と同様にして、落雷電荷を算出するものとしたが、落雷電荷の算出方法はこれに限られず、適宜な方法を用いることができる。
【００６０】
また、本実施形態では、電界波形データ及び磁界波形データの検討期間内の相関係数の絶対値を算出した後、落雷電荷を算出するものとしたが、これに限らず、相関係数の絶対値を算出する際に、落雷電荷を並行して算出することとしてもよい。
【００６１】
また、本実施形態では、ＳＴＥＰ２０２において、ピーク後の相関係数の絶対値が基準相関係数の変化が基準勾配よりも小さいか否かを判定しているが、これに限らず、例えば、検討期間内において、相関係数の絶対値が所定の値よりも小さくなるか否かに基づき判定してもよく、要するに、相関係数が緩やかに低下しているか、急激に低下しているかを判定できればよい。
【符号の説明】
【００６２】
１  システム                            ２  落雷電荷評価装置
１０  計測子局                          １２  電界計測部
１４  磁界計測部                        ２０  データ取得部
２１  落雷判定部                        ２２  データ読込部
２３  落雷発生時点検知部                ２４  リーダ検知部
２５  リーダ進展時間算出部              ２６  電荷高度算出部
２７  落雷電荷算出部                    ２８  落雷位置取得部
３０  表示装置                          ３１  一時記憶部
４０  雷放電位置標定装置
【図４】
2012037387.tif 000004
【図５】
2012037387.tif 000005
【図７】
2012037387.tif 000006
【図８】
2012037387.tif 000007
【図９】
2012037387.tif 000008
【図１０】
2012037387.tif 000009
【図１１】
2012037387.tif 000010
【図１２】
2012037387.tif 000011
【図１】
2012037387.tif 000012
【図２】
2012037387.tif 000013
【図３】
2012037387.tif 000014
【図６】
2012037387.tif 000015